(57)【要約】【課題】  発光源からの放熱を効率良く促進すること。【解決手段】  スライドベース１に設けた発光部３が、レーザ光ａを投射する発光源７と、該発光源７を中央嵌合孔８ａに嵌入させたホルダ８と、その発光源７からの放熱を促進するための放熱板９とを有し、ホルダ８をスライドベース１の基準面１ａに位置決めして接着剤１３で固定し、放熱板９をスライドベース１にビス１１止めし、その放熱板９と発光源７のパッケージ７Ａとの間の隙間に放熱グリスＧが充填され、発光源７のグランド側端子７ａの長さｈ１に比べてそれ以外の端子７ｂ，７ｃの長さｈ２が短く設定され、グランド側端子７ａに対向して放熱板９に端子孔１５が貫設されており、該端子孔１５をグランド側端子７ａに遊嵌合させ、そのグランド側端子７ａと放熱板９との間に放熱グリスＧが充填されている。【選択図】        図２
2009158022.tif 000002
【特許請求の範囲】
【請求項１】
ディスクの半径方向に沿って往復移動可能なスライドベースに発光部と対物レンズ付き
アクチュエータとが設けられ、前記発光部が、レーザ光を投射する発光源と、該発光源を
中央嵌合孔に嵌入させたホルダと、その発光源からの放熱を促進するための放熱板とを有
し、前記ホルダを前記スライドベースの基準面に位置決めして固定し、前記放熱板をホル
ダに接近させた状態でスライドベースに止着し、その放熱板と発光源との間の隙間に放熱
グリスが充填されており、発光源からレーザ光を対物レンズを通してディスクに投射し、
その反射光に基づいてディスクに記録されている情報を読み取り、発光源からの放熱を放
熱グリス及び放熱板を介して促進するようにした光ピックアップにおいて、前記発光源の
グランド側端子と放熱板との間に放熱グリスが充填されていることを特徴とする光ピック
アップ。
【請求項２】
前記発光源のグランド側端子の長さに比べてそれ以外の端子の長さが短く設定され、グ
ランド側端子に対向して放熱板に端子孔が貫設されており、該端子孔をグランド側端子に
遊嵌合させ、放熱板をスライドベースに止着し、グランド側端子と放熱板との間に放熱グ
リスが充填されていることを特徴とする請求項１に記載の光ピックアップ。
【発明の詳細な説明】
【技術分野】
【０００１】
本発明は、ディスク装置（例えばＤＶＤレコーダ、ＤＶＤプレーヤ、ＣＤプレーヤなど
）に使用される光ピックアップに関し、特に、発光源からの放熱を効率良く促進するよう
にしたものである。
【背景技術】
【０００２】
光ピックアップについて図５の概略図に基づいて説明すると、これは、ディスクＤの半
径方向に沿ってガイドレール２に往復移動可能に係合されたスライドベース１を有し、該
スライドベース１の表裏両面のうち、その一方面に一体突設した起立枠１Ａに発光部３と
対物レンズＯＬ付きアクチュエータ４とが設けられ、前記起立枠１Ａに、フォトダイオー
ドからなる読取用素子ＰＤ１及び光量検知用素子ＰＤ２と、立ち上げミラーＭ及びハーフ
ミラーＨＭとが設けられている。なお、５はスライドベース１の他方面に設けたプリント
配線基板からなるメイン基板である。
【０００３】
情報読取手順を説明すると、ディスクＤを高速回転させ、アクチュエータ４を駆動して
、該アクチュエータ４に設けた支軸４ａに沿って対物レンズＯＬをフォーカス方向に移動
させると共に、該支軸４ａ回りで対物レンズＯＬをトラッキング方向に移動させ、発光部
３からレーザ光ａをハーフミラーＨＭ及び立ち上げミラーＭで反射し対物レンズＯＬを通
してディスクＤに投射し、その反射光ｂを対物レンズＯＬに通し立ち上げミラーＭで反射
しハーフミラーＨＭを通過して読取用素子ＰＤ１で受光させ、ディスクＤに記録されてい
る情報を読み取ると共に、レーザ光ａの光量を光量検知用素子ＰＤ２で検知する。
【０００４】
図６〜図８は従来の発光部３を示すものであって、図６は同斜視図、図７は同縦断面図
、図８は同分解斜視図である。
【０００５】
図６〜図８に示すように、発光部３は、レーザ光ａを投射する発光源７と、該発光源７
を中央嵌合孔８ａに嵌入させた金属製ホルダ８と、その発光源７からの放熱を促進するた
めの金属板製放熱板９とを有している。
【０００６】
前記発光源７は、レーザダイオードＬＤを収納するパッケージ７Ａを有し、該パッケー
ジ７Ａの後端面にそのパッケージ７Ａに接続したグランド（ＧＮＤ）側端子７ａとそれ以
外の端子（ＤＶＤ側端子及びＣＤ側端子）７ｂ、７ｃとが突設され、その各端子７ａ〜７
ｃがフレキシブルフラットケーブルＦＦＣを介してメイン基板５に接続されている。
【０００７】
前記放熱板９は、略逆Ｕ字状に折り曲げた放熱板本体９ａと、該放熱板本体９ａの一端
から略直角に折り曲げられて側方に延びる基板９ｂと、前記放熱板本体９ａの他端から略
直角に折り曲げられて基板９ｂとは逆方向に延びる中間板９ｃと、該中間板９ｃの遊端か
ら略直角に折り曲げられて放熱板本体９ａに対して平行する放熱補助縦板９ｄと、該放熱
補助縦板９ｄの遊端から略直角に折り曲げられて基板９ｂと逆方向に延びる放熱補助横板
９ｅとにより形成され、前記放熱板本体９ａにパッケージ７Ａの外径ｋよりも小幅ｔの半
円状凹部１０が形成されている。
【０００８】
上記構成において、発光源７の端子７ａ〜７ｃの先端を適当に切断し、該発光源７を中
央嵌合孔８ａに嵌入させたホルダ８を基準面１ａに当接させて位置決めし、該ホルダ８と
基準面１ａとの間に接着剤１３を充填してそのホルダ８を基準面１ａに固定し、放熱板９
をホルダ８に接近させて凹部１０を各端子７ａ〜７ｃに遊嵌合させ、ビス１１により放熱
板９を起立枠１Ａに止着し、その放熱板９の放熱板本体９ａと発光源７のパッケージ７Ａ
との間の隙間に放熱グリスＧが充填されている。なお、関連する技術として特許文献１に
記載したものがある。
【特許文献１】特開２００７−１９３８５５号公報
【発明の開示】
【発明が解決しようとする課題】
【０００９】
上記従来の構成では、レーザダイオードＬＤからレーザ光ａを投射することにより発熱
した発光源７の温度上昇による性能低下を防ぐため、その発光源７から放熱グリスＧを介
して放熱板９により放熱を促進しているが、最近では、ブルーレイディスク（Ｂｌｕ−ｒ
ａｙ  Ｄｉｓｃ）などのディスクＤの種類の多様化及び該ディスクＤへの書き込み速度の
上昇などに伴って、レーザダイオードＬＤのレーザ光ａの光量を増大させており、これに
より、発光源７の放熱量も増加し、その発光源７が高温状態になって性能を低下させるお
それがある。
【００１０】
本発明は、上記従来の欠点に鑑み、発光源からの放熱を効率良く促進することができる
ようにした光ピックアップを提供することを目的している。
【課題を解決するための手段】
【００１１】
上記目的を達成するため、請求項１に記載の発明は、ディスクの半径方向に沿って往復
移動可能なスライドベースに発光部と対物レンズ付きアクチュエータとが設けられ、前記
発光部が、レーザ光を投射する発光源と、該発光源を中央嵌合孔に嵌入させたホルダと、
その発光源からの放熱を促進するための放熱板とを有し、前記ホルダを前記スライドベー
スの基準面に位置決めして固定し、前記放熱板をホルダに接近させた状態でスライドベー
スに止着し、その放熱板と発光源との間の隙間に放熱グリスが充填されており、発光源か
らレーザ光を対物レンズを通してディスクに投射し、その反射光に基づいてディスクに記
録されている情報を読み取り、発光源からの放熱を放熱グリス及び放熱板を介して促進す
るようにした光ピックアップにおいて、前記発光源のグランド側端子と放熱板との間に放
熱グリスが充填されていることを特徴としている。
【００１２】
請求項２に記載の発明は、請求項１に記載の発明において、前記発光源のグランド側端
子の長さに比べてそれ以外の端子の長さが短く設定され、グランド側端子に対向して放熱
板に端子孔が貫設されており、該端子孔をグランド側端子に遊嵌合させ、放熱板をスライ
ドベースに止着し、グランド側端子と放熱板との間に放熱グリスが充填されていることを
特徴としている。
【発明の効果】
【００１３】
請求項１に記載の発明によれば、発光源から放熱グリスを介して放熱板に至る第１の放
熱ルートと、その発光源のグランド側端子から放熱グリスを介して放熱板に至る第２の放
熱ルートとが設けられており、その放熱ルートが２つあって従来より倍増されているから
、ブルーレイディスク（Ｂｌｕ−ｒａｙ  Ｄｉｓｃ）などのディスクの種類の多様化及び
該ディスクへの書き込み速度の上昇などに対応してレーザダイオードのレーザ光の光量を
増大させることにより発光源の放熱量が増加した場合でも、該発光源の放熱を効率良く促
進して、その発光源の温度上昇による性能低下を確実に阻止することができる。
【００１４】
請求項２に記載の発明によれば、発光源の各端子のうち、グランド側端子以外の端子の
先端を短く切るだけで、グランド側端子だけを長くした発光源を簡単に製作することがで
き、その製作費が安くつく。
【００１５】
また、放熱板の端子孔をグランド側端子に遊嵌合させ、該放熱板をスライドベースに止
着し、グランド側端子と放熱板との間に放熱グリスを充填するだけで、新たな放熱ルート
を容易に形成することができ、既存の放熱構造をほぼそのまま利用できるから、経済性に
も優れている。
【発明を実施するための最良の形態】
【００１６】
図１〜図４は本発明の実施の一形態である光ピックアップを示すものであって、図１は
同斜視図、図２は同縦断面図、図３は同分解斜視図、図４（ａ）〜（ｄ）は同組立図であ
る。
【００１７】
図１〜図４に示すように、発光源７のグランド（ＧＮＤ）側端子７ａの長さｈ１に比べ
てそれ以外の端子（ＤＶＤ側端子及びＣＤ側端子）７ｂ、７ｃの長さｈ２が短く設定され
、発光源７のグランド側端子７ａに対向して放熱板９の放熱補助縦板９ｄに端子孔１５が
貫設されいる。上記以外の構成は図５〜図８に示す構成とほぼ同じであるから、同一部分
に同一符号を付してその説明を省略する。
【００１８】
発光部３の組立手順を説明すると、図４（ａ）に示すように、発光源７のグランド（Ｇ
ＮＤ）側端子７ａ以外の端子（ＤＶＤ側端子及びＣＤ側端子）７ｂ、７ｃの先端を仮想線
Ｓに沿って切断する。
【００１９】
次に、図４（ｂ）に示すように、各端子７ａ〜７ｃにフレキシブルフラットケーブルＦ
ＦＣを接続すると共に、発光源７をホルダ８の中央嵌合孔８ａに嵌入させ、該ホルダ８の
半円状突起部８ｂを起立枠１Ａの基準面１ａに当接させて上下左右に移動させると共に、
レーザダイオードＬＤを中心に揺動させ、発光源７からレーザ光ａが所定通りに投射され
るようにその発光源７を位置決めする。
【００２０】
続いて、図４（ｃ）に示すように、ホルダ８と基準面１ａとの間に接着剤１３を充填し
て、該ホルダ８を基準面１ａに固定し、放熱板９を起立枠１Ａに接近させる。
【００２１】
その後、図４（ｄ）に示すように、放熱板９の端子孔１５をグランド側端子７ａに遊嵌
合させると共に、放熱板９の凹部１０を各端子７ａ〜７ｃに遊嵌合させた状態で、該放熱
板９をビス１１により起立枠１Ａに止着し、放熱板９の放熱板本体９ａと発光源７のパッ
ケージ７Ａとの間の隙間に放熱グリスＧを充填すると共に、グランド側端子７ａと放熱板
９の放熱補助縦板９ｄとの間にも放熱グリスＧを充填する。
【００２２】
上記構成によれば、発光源７のパッケージ７Ａから放熱グリスＧを介して放熱板９に至
る第１の放熱ルートと、その発光源７のグランド側端子７ａから放熱グリスＧを介して放
熱板９に至る第２の放熱ルートとが設けられており、その放熱ルートが２つあって従来よ
り倍増されているから、ブルーレイディスク（Ｂｌｕ−ｒａｙ  Ｄｉｓｃ）などのディス
クＤの種類の多様化及び該ディスクＤへの書き込み速度の上昇などに対応してレーザダイ
オードＬＤのレーザ光ａの光量を増大させることにより発光源７の放熱量が増加した場合
でも、該発光源７の放熱を効率良く促進して、その発光源７の温度上昇による性能低下を
確実に阻止することができる。
【００２３】
また、発光源７の各端子７ａ〜７ｃのうち、グランド側端子７ａ以外の端子７ｂ，７ｃ
の先端を短く切るだけで、グランド側端子７ａだけを長くした発光源７を簡単に製作する
ことができ、その製作費が安くつく。
【００２４】
更に、放熱板９の端子孔１５をグランド側端子７ａに遊嵌合させ、該放熱板９をスライ
ドベース１に止着し、グランド側端子７ａと放熱板９との間に放熱グリスＧを充填するだ
けで、新たな放熱ルートを容易に形成することができ、既存の放熱構造をほぼそのまま利
用できるから、経済性にも優れている。
【図面の簡単な説明】
【００２５】
【図１】本発明の実施の一形態である光ピックアップを示す斜視図である。
【図２】同縦断面図である。
【図３】同分解斜視図である。
【図４】（ａ）〜（ｄ）は同組立図である。
【図５】光ピックアップを示す概略図である。
【図６】従来例を示す斜視図である。
【図７】同縦断面図である。
【図８】同分解斜視図である。
【符号の説明】
【００２６】
１          スライドベース
３          発光部
４          アクチュエータ
７          発光源
７Ａ        発光源のパッケージ
７ａ        グランド側端子
７ｂ，７ｃ  グランド側端子以外の端子
８          ホルダ
８ａ        ホルダの中央嵌合孔
９          放熱板
１５        端子孔
ａ          レーザ光
Ｄ          ディスク
ＯＬ        対物レンズ
Ｇ          放熱グリス
ｈ１        グランド側端子の長さ
ｈ２        グランド側端子以外の端子の長さ
【図１】
2009158022.tif 000003
【図２】
2009158022.tif 000004
【図３】
2009158022.tif 000005
【図４】
2009158022.tif 000006
【図５】
2009158022.tif 000007
【図６】
2009158022.tif 000008
【図７】
2009158022.tif 000009
【図８】
2009158022.tif 000010